(57)【要約】【課題】農作業等において身体に装着したまま作業することができ、作業中の腰の負担を軽減し、ぎっくり腰を予防することができる、ぎっくり腰予防具を提供する。【解決手段】牽引帯１は、肩に掛止する肩掛止部２と、足に掛止する足掛止部３と、長さ調整手段４とからなる。肩掛止部２は牽引帯１の一端をＵ字形に形成し背中側から肩を経由して脇の下を背中側へ連なり、足掛止部３は牽引帯１の他端をＵ字形に形成し足首外側から足裏を経由して足首内側へ連なり、長さ調整手段４は牽引帯１の肩掛止部２に近い位置に設ける。【効果】前屈姿勢時に上半身の体重を支える背筋に代わって牽引帯が負荷を受持ち、かつ腰関節を安定させるように作用する。【選択図】　図１
2004081792.tif 000002
【特許請求の範囲】
【請求項１】
肩から臀部を経由して足へ掛け渡して人体に装着する牽引帯であって、該牽引帯の一端には肩に掛止する肩掛止部を備え、かつ該牽引帯の他端には足に掛止する足掛止部を備え、かつ該牽引帯の長さ調整手段を備えたことを特徴とする、ぎっくり腰予防具。
【請求項２】
前記牽引帯は、右肩から左足に掛け渡す牽引帯と、左肩から右足へ掛け渡す牽引帯との２つの牽引帯と、該２つの牽引帯を束ねる結束材からなり、人体に装着した時に該２つの牽引帯が臀部近傍で交差するように構成したことを特徴とする、請求項１記載のぎっくり腰予防具。
【請求項３】
前記牽引帯を平行状に挿通する結束帯を備えたことを特徴とする、請求項１又は２に記載のぎっくり腰予防具。
【請求項４】
肩から臀部を経由して足へ掛け渡して人体に装着する牽引帯であって、人体の上半身側に装着される牽引帯上部と、人体の下半身側に装着される牽引帯下部と、該牽引帯上部と該牽引帯下部とを中間で係止する牽引帯係止部とを備えたことを特徴とする、請求項１に記載のぎっくり腰予防具。
【請求項５】
前記牽引帯上部と前記牽引帯下部を中間で係止する牽引帯係止部は、弾性体であることを特徴とする、請求項４記載のぎっくり腰予防具。
【請求項６】
前記肩掛止部は、肩に当接する部位に緩衝部材を備えたことを特徴とする、請求項１から５のいずれかに記載のぎっくり腰予防具。
【請求項７】
前記肩掛止部は、右肩に掛止する右肩掛止部と左肩に掛止する左肩掛止部とを連結する肩ずれ防止部材を備えたことを特徴とする、請求項１から６のいずれかに記載のぎっくり腰予防具。
【請求項８】
前記足掛止部は足から脱落を防止するストッパーを備えたことを特徴とする、請求項１から７のいずれかに記載のぎっくり腰予防具。
【発明の詳細な説明】
【０００１】
【発明の属する技術分野】
この発明は、ぎっくり腰予防具に関する。
【０００２】
【従来の技術】
一般にぎっくり腰と呼ばれる症状は急激に起きる腰痛の総称であり、中でも腰椎の捻挫が多く、腰の周りの筋肉や筋膜の一部が切れ背骨の両脇が急激に痛み腰が曲がらなくなることもある。ぎっくり腰の主な原因は、重い物を持ち上げたり体を不用意にひねることである。農作業や工場での作業のように、長時間前屈姿勢で作業したり重い物を持ち上げるときにぎっくり腰になる危険があるが、このような姿勢で作業するときは腰をかがめ膝を曲げて十分意識して腰に力を込めた上で作業を行うか、又は搬送機械を使用して臀部への負担を軽減する以外にぎっくり腰を予防する有効な方法がなかった。
【０００３】
従来、腰痛対策バンドとして知られている腰の周囲に巻く保護帯は、痛めた腰部を固定して骨盤のズレを調整したり痛みを和らげるものであるが、これを腰に巻いて前屈姿勢をとると腹部を圧迫して苦痛となり動作が制約されるため、農作業には適さないものであった。特に近年、農業人口の高齢化にともない、作物収穫時など長時間前屈姿勢を強いられる農作業に於いて、少しでも腰の負担を軽くしぎっくり腰を予防する簡便な方法又は道具が求められている。
【０００４】
【発明が解決しょうとする課題】
本発明は、このような従来からの要求に鑑みてなされたもので、農作業等において身体に装着したまま作業することができ、作業中の腰の負担を軽減し、かつぎっくり腰を予防することができる、ぎっくり腰予防具を提供することを目的とする。
【０００５】
【課題を解決するための手段】
上記課題を解決するために、請求項１記載のぎっくり腰予防具は、肩から臀部を経由して足へ掛け渡して人体に装着する牽引帯であって、該牽引帯の一端には肩に掛止する肩掛止部を備え、かつ該牽引帯の他端には足に掛止する足掛止部を備え、かつ該牽引帯の長さ調整手段を備えたものである。
【０００６】
請求項２記載のぎっくり腰予防具は、右肩から左足に掛け渡す牽引帯と、左肩から右足へ掛け渡す牽引帯との２つの牽引帯と、該２つの牽引帯を束ねる結束材からなり、人体に装着した時に該２つの牽引帯が臀部近傍で交差するように構成したものである。
【０００７】
請求項３記載のぎっくり腰予防具は、肩から臀部を経由して足へ掛け渡して人体に装着する牽引帯を、平行状に挿通する結束帯を備えたものである。
【０００８】
請求項４記載のぎっくり腰予防具は、肩から臀部を経由して足へ掛け渡して人体に装着する牽引帯であって、人体の上半身側に装着される牽引帯上部と、人体の下半身側に装着される牽引帯下部と、該牽引帯上部と該牽引帯下部とを中間で係止する牽引帯係止部とを備えたものである。
【０００９】
請求項５記載のぎっくり腰予防具は、人体の上半身側に装着される牽引帯上部と人体の下半身側に装着される牽引帯下部を中間で係止する牽引帯係止部において、弾性体を備えたものである。
【００１０】
請求項６記載のぎっくり腰予防具は、肩に掛止する肩掛止部において、肩に当接する部位に緩衝部材を備えたものである。
【００１１】
請求項７記載のぎっくり腰予防具は、肩に掛止する肩掛止部において、右肩に掛止する右肩掛止部と左肩に掛止する左肩掛止部を連結する肩ずれ防止部材を備えたものである。
【００１２】
請求項８記載のぎっくり腰予防具は、足に掛止する足掛止部において、足から脱落を防止するストッパーを備えたものである。
【００１３】
【発明の実施の形態】
本発明の実施の形態を代表的な実施例に基づいて、図を用いて説明する。図１は、本発明のぎっくり腰予防具の外観図である。図２は、ぎっくり腰予防具を人体に装着した直立姿勢の側面図である。図３は、ぎっくり腰予防具を人体に装着した前屈姿勢の側面図である。
【００１４】
請求項１記載のぎっくり腰予防具は、図１、図２、図３に示すように、肩から臀部を経由して足へ掛け渡して人体に装着する牽引帯１であって、肩に掛止する肩掛止部２と、足に掛止する足掛止部３と、長さ調整手段４とからなるものである。
【００１５】
肩掛止部２は牽引帯１の一端をＵ字形に形成し背中側から肩を経由して脇の
下を背中側へ連なり、足掛止部３は牽引帯１の他端をＵ字形に形成し足首外側から足裏を経由して足首内側へ連なり、長さ調整手段４は牽引帯１の肩掛止部２に近い位置に設けてある。本実施例では牽引帯としてハンドバック、鞄等の吊ベルトを用いたが、自動車用安全ベルトや電気工事用安全ベルトに使われている合成繊維の網組ベルトでもよく、ゴム製ベルトのような弾性体でもよい。
【００１６】
このように構成した牽引帯１は、長さ調整手段４により使用する人の身長に対応して長さを調整することができる。長さ調整手段４は、肩掛止部近傍に位置しているが、何れの位置に配してもかまわない。本実施例では、長さ調整手段４としてハンドバック、鞄等の吊ベルトの長さ調整に用いられている通称アジャスターと呼ばれている部品を使用しているが、装着者の身長・体形に応じて適当な長さに調整可能であれば他の物でもよい。
【００１７】
牽引帯１を装着して直立した状態から上半身を前屈させると牽引帯１は緊張
して前屈角度を制限するので、作業に適した前屈角度となるよう長さ調整手段４を調整すると、牽引帯１に上半身の体重による引張力が加わり前屈状態の上半身の体重を支えるように作用する。このとき、上半身の体重を支える支持力は牽引帯１が全て受け持っていて、本来使われるべき背筋力は働いていない。牽引帯１の支持力は腰椎の正常な連結方向へ加わり、腰部を全体的に安定させるように作用する。
【００１８】
また、膝を屈伸させて上半身の体重により牽引帯１が受けている引張力を調整することができる。即ち、膝を伸ばした姿勢から膝を曲げると引張力が減少して前屈姿勢をより深く前屈することになり、逆に膝を伸ばすと引張力が増加して前屈姿勢を起こしたりすることができる。従って、膝を屈伸させることにより本来使われるべき背筋を使わずに前屈角度を任意に調整することができる。
【００１９】
請求項２記載のぎっくり腰予防具は、図２、及び図４に示すように、肩から臀部を経由して足へ掛け渡して人体に装着する牽引帯は、右肩から左足に掛け渡す牽引帯右１１と、左肩から右足へ掛け渡す牽引帯左１２との２つの牽引帯と、該２つの牽引帯を束ねる結束材５からなり、人体に装着した時に該２つの牽引帯が臀部近傍で交差するように構成し、該２つの牽引帯の一端には肩に掛止する肩掛止部２と、該２つの牽引帯の他端には足に掛止する足掛止部３と、長さ調整手段４とからなるものである。
【００２０】
該２つの牽引帯が臀部近傍でＸ状に交差し、かつ交差する位置に設けた結束材５により牽引帯を束ねることにより、側方への脱落や蛇行を防止すると共に、上半身の前屈姿勢の状態でも水平・垂直方向へのひねり動作を阻害せず、牽引帯右１１と牽引帯左１２に対し引張力を均等にして前屈姿勢のバランスを取ることができる。本実施例では、結束材５はゴムを編み込んだヘアーバンドを用いたが、軟質ゴム、合成繊維、又は金属コイルばねによる結束バンドを用いてもよい。
【００２１】
請求項３記載のぎっくり腰予防具は、図１０、図１１に示すように、肩から臀部を経由して足へ掛け渡して人体に装着する牽引帯１において、臀部近傍で牽引帯１を平行に挿通する結束帯７を備えたものである。牽引力に比例した臀部に加わる押圧力による圧迫感を軽減するための結束帯７は、牽引帯１を平行に挿通することにより押圧力を分散させて臀部の圧迫感を軽減し、かつ身長差による臀部の位置に対応するため牽引帯１に対して位置調整は自在である。
【００２２】
請求項４記載のぎっくり腰予防具は、図５、図６に示すように、肩から臀部を経由して足へ掛け渡して人体に装着する牽引帯であって、人体の上半身側に装着される牽引帯上部１３と、人体の下半身側に装着される牽引帯下部１４と、該牽引帯上部１３と該牽引帯下部１４とを中間で係止する牽引帯係止部６とからなるものである。
【００２３】
牽引帯係止部６の一端に係止片上６２を固着し、牽引帯上部１３を右肩掛止部１１から係止片上６２へ掛け渡してＵ形に曲折し左肩掛止部１２へ掛け戻し、肩掛止部近傍に牽引帯長さ調整手段４を備え、また牽引帯係止部６の他端に係止片下６３を固着し、牽引帯下部１４を左足掛止部３３から係止片下６３へ掛け渡してＵ形に曲折して右足掛止部３２へ掛け戻している。
【００２４】
牽引帯係止部６を基点として牽引帯上部１３は左右の肩掛止部へ、また牽引帯下部１４は左右の足掛止部３へとＸ状に対向しているため、側方への脱落や蛇行を回避でき、かつ係止片上６２と牽引帯上部１３、係止片下６３と牽引帯下部１４は滑動自在のため前屈姿勢での捻り動作による牽引帯の相対運動を阻害せず引張力を均等にしてバランスを取る作用を有している。
【００２５】
また、牽引帯係止部６を牽引帯上部側と牽引帯下部側に２分割構造の脱着式にした場合は牽引帯上部１３と牽引帯下部１４の装着取外しを分離して行うことができる。牽引帯係止部６は可撓性材料で形成し、係止片上６２、係止片下６３は金属又は樹脂製からなり、円形断面のコ字形、又はＤ字形に形成し牽引帯を滑動自在に挿通させている。
【００２６】
請求項５記載のぎっくり腰予防具は、図５に示すように、人体の上半身側に装着される牽引帯上部１３と人体の下半身側に装着される牽引帯下部１４を中間で係止する牽引帯係止部６において、弾性体６１を備えたものであり、請求項３記載のぎっくり腰予防具の牽引帯係止部６が弾性体であるものである。
【００２７】
牽引帯上部１３と牽引帯下部１４に掛止した弾性体６１は、前屈姿勢に入る初期の段階から徐々に引張力を受け、前屈姿勢の時に上半身の全体重を受けて釣合っており、弾性体６１は上半身の体重を支え、かつ上半身を起そうとする反力を牽引帯に加えており、直立姿勢に戻る時の背筋力を軽減する作用として働く。
【００２８】
請求項６記載のぎっくり腰予防具は、図７、及び図８に示すように、肩掛止部２において、肩に当接する部位に緩衝部材２１を備えたものである。前屈姿勢時の引張力が肩に与える圧迫感を軽減するために緩衝部材２１は弾性を有し、肩に当接する面は凹凸を付けた表面にすることによりクッション性を持たせ、また摩擦係数も向上するため肩ずれも防止できる。肩ずれ防止部材２２の材質はゴム、又は軟質プラスチックが好ましい。
【００２９】
請求項７記載のぎっくり腰予防具は、図９に示すように、肩に掛止する肩掛止部２において、左右の肩掛止部２を連結する肩ずれ防止部材２２を備えたものである。肩ずれ防止部材２２は肩掛止部２が肩から外れて脱落しないようにしており、肩ずれ防止部材２２の一端を片方の肩掛止部２に係止し、肩ずれ防止部材２２の他端を他方の肩掛止部２に係止して左右の肩掛止部２を連結している。
【００３０】
請求項８記載のぎっくり腰予防具は、図１に示すように、足に掛止する足掛止部３において、足から脱落を防止するストッパー３１を備えたものである。足の甲の上で足掛止部３のＵ形部を縊るように形成した環形のストッパー３１は、足掛止部と足を係止しており、歩行時に足掛止部３が足から脱落しないようにしている。ストッパー３１は、ゴムを編み込んだヘヤーバンドを用いたが、軟質ゴム、合成繊維、又は金属コイルばねによる結束バンドを用いてもよい
【００３１】
【発明の効果】
本発明のぎっくり腰予防具によれば、使用者の身長と農作業等の作業内容に応じて最適な前屈角度に調整することができ、前屈姿勢での作業中の上半身の体重を牽引帯が支持するので背筋及び腰部への負担が殆ど無く、作業中の疲労を軽減し腰椎の捻挫などぎっくり腰を予防することができる。また、膝を屈伸させることにより作業時の前屈角度を任意に調節することができ、背筋の疲労減少に寄与する。この屈伸力を利用して慣性を付けることにより、また弾性力によって前屈姿勢から立位へ戻る時の背筋力を補助することもできる。
【００３２】
更に、請求項２の発明は、左右２つの牽引帯と、該２つの牽引帯を束ねる結束材からなり、該２つの牽引帯が臀部近傍で交差するように構成したため、脱落や蛇行を防止すると共に、前屈姿勢の動作を阻害しない効果を生ずる。
【００３３】
請求項３の発明は、牽引帯を平行状に挿通する結束帯を備えているため押圧力を分散させて臀部の圧迫感を軽減する効果を生ずる。
【００３４】
請求項４の発明は、牽引帯上部と牽引帯下部と牽引帯係止部を備えたため脱落や蛇行を防止すると共に、前屈姿勢の動作を阻害しない効果を生ずる。
【００３５】
請求項５の発明は、牽引帯係止部が弾性体であるため、弾性体が上半身の体重を支え、かつ上半身を起そうとする反力を牽引帯に加えており、直立姿勢に戻る時の背筋力を軽減する効果を生ずる。
【００３６】
請求項６の発明は、肩に当接する部位に緩衝部材２１を備えたため圧迫感が軽減し、かつ肩ずれを防止する効果を生ずる。
【００３７】
請求項７の発明は、左右の肩掛止部２を連結する肩ずれ防止部材２２を備えたため肩から外れて脱落しない効果を生ずる。
【００３８】
請求項８の発明は、足掛止部３において、足から脱落を防止するストッパー３１を備えたもので歩行時に脱落しない効果を生ずる。
【図面の簡単な説明】
【図１】本発明のぎっくり腰予防具の外観図である。
【図２】ぎっくり腰予防具を装着した直立姿勢の側面図である。
【図３】ぎっくり腰予防具を装着した前屈姿勢の側面図である
【図４】本発明の実施例１の背面図である。
【図５】本発明の実施例２の背面図である。
【図６】牽引帯掛止部の詳細図である。
【図７】肩掛止部の詳細図である。
【図８】緩衝部材の断面図である。
【図９】肩ずれ防止部材の詳細図である。
【図１０】本発明の他の実施例の背面図である。
【図１１】結束帯の詳細図である。
【符号の説明】
１．　牽引帯
１１．牽引帯右
１２．牽引帯左
１３．牽引帯上部
１４．牽引帯下部
２．　肩掛止部
２１．緩衝部材
２２．肩ずれ防止部材
３．　足掛止部
３１．ストッパー
３２．右足掛止部
３３．左足掛止部
４．　長さ調整手段
５．　結束材
６．　牽引帯掛止部
６１．弾性体
６２．掛止片上
６３．掛止片下
７．　結束帯
【図１】
2004081792.tif 000003
【図２】
2004081792.tif 000004
【図３】
2004081792.tif 000005
【図４】
2004081792.tif 000006
【図５】
2004081792.tif 000007
【図６】
2004081792.tif 000008
【図７】
2004081792.tif 000009
【図８】
2004081792.tif 000010
【図９】
2004081792.tif 000011
【図１０】
2004081792.tif 000012
【図１１】
2004081792.tif 000013